(57)【要約】 【課題】魚類の生息に適した淀み空間と、貝類等の底生動物の生息に適した土砂の堆積部分を同時に形成できると共に、沈殿土砂の排除が適度に行われる水路構造を提供する。【解決手段】水路底面３に、魚類が生息できる窪み５が形成され、窪み５の上流側の面は略垂直な窪み立面６として形成され、窪み立面６の下端に略水平な窪み底面９が連設されている。窪み底面９の下流端に、下流に向かって上向きに略一定勾配で傾斜する窪み傾斜面１１が連設されている。又、窪み立面６で開口する魚巣１２が設けられると共に、窪み底面６及び魚巣１２の内面側に逆止弁付き湧水部１３が設けられている。【選択図】図１
2006138168.tif 000002
【特許請求の範囲】
【請求項１】
河川等の水路の、水平乃至下流に向かって下向きに略一定勾配で傾斜する水路底面に、魚類が生息できる窪みが形成され、該窪みの水路上流側の面は略垂直な窪み立面に形成されると共に、該窪み立面の下端に略水平の窪み底面が連設され、又該窪み底面の下流端に、下流に向かって上向きに略一定勾配で傾斜する窪み傾斜面が連設されていることを特徴とする生態系配慮型水路構造。
【請求項２】
河川等の水路の、水平乃至下流に向かって下向きに略一定勾配で傾斜する水路底面に、魚類が生息できる窪みが形成され、該窪みの水路上流側の面は略垂直な窪み立面に形成されると共に、該窪み立面の下端に、下流に向かって下向きに略一定勾配で傾斜する窪み底面が連設され、又該窪み底面の下流端に、下流に向かって上向きに略一定勾配で傾斜する窪み傾斜面が連設されていることを特徴とする生態系配慮型水路構造。
【請求項３】
河川等の水路の、水平乃至下流に向かって下向きに略一定勾配で傾斜する水路底面に、魚類が生息できる窪みが形成され、該窪みの水路上流側の面は略垂直な窪み立面に形成されると共に、該窪み立面の下端に略水平の窪み底面が連設され、又該窪み底面の下流端に、下流に向かって上向きに略一定勾配で傾斜する窪み傾斜面が連設されており、前記窪み立面の高さをＨとしたとき、前記窪み底面の水路延長方向の長さ及び前記窪み傾斜面の水路延長方向の長さは共にＨ〜８Ｈに設定され、且つ前記窪み立面の高さＨが３０〜６５ｃｍに設定されていることを特徴とする生態系配慮型水路構造。
【請求項４】
河川等の水路の、水平乃至下流に向かって下向きに略一定勾配で傾斜する水路底面に、魚類が生息できる窪みが形成され、該窪みの水路上流側の面は略垂直な窪み立面に形成されると共に、該窪み立面の下端に、下流に向かって下向きに略一定勾配で傾斜する窪み底面が連設され、又該窪み底面の下流端に、下流に向かって上向きに略一定勾配で傾斜する窪み傾斜面が連設されており、前記窪み立面の高さをＨとしたとき、前記窪み底面の水路延長方向の長さ及び前記窪み傾斜面の水路延長方向の長さは共にＨ〜８Ｈに設定され、且つ前記窪み立面の高さＨが３０〜６５ｃｍに設定されていることを特徴とする生態系配慮型水路構造。
【請求項５】
前記窪み底面の前記窪み立面側に泥溜め凹部が設けられていることを特徴とする請求項１、２、３又は４記載の生態系配慮型水路構造。
【請求項６】
前記窪み立面で開口する魚巣が設けられていることを特徴とする請求項１、２、３、４又は５記載の生態系配慮型水路構造。
【請求項７】
前記窪み底面の前記窪み立面側に、前記窪みに向けての湧水の吐出を許容するが逆の流れは阻止する逆止弁付き湧水部を設けたことを特徴とする請求項１、２、３、４又は５記載の生態系配慮型水路構造。
【請求項８】
前記窪み底面の前記窪み立面側に、前記窪みに向けての湧水の吐出を許容するが逆の流れは阻止する逆止弁付き湧水部を設けると共に、前記魚巣の内面側に、該魚巣に向けての湧水の吐出を許容するが逆の流れは阻止する逆止弁付き湧水部を設けたことを特徴とする請求項６記載の生態系配慮型水路構造。
【発明の詳細な説明】
【技術分野】
【０００１】
本発明は、魚介類の生息に適した窪みを具える生態系配慮型水路構造に関するものである。
【背景技術】
【０００２】
魚介類の生息に配慮した水路構造の一例としては、特開平８−２２４５９１号公報や特開平６−１２８９２９号公報が開示するような、水路底面に窪みを設けた水路構造が提案されている。
【０００３】
前者の水路構造は、水平乃至下流に向かって下向きに略一定勾配で傾斜する水路底面に、内壁面が垂直に形成された窪みを形成したものであり、該窪みに土砂を堆積させて魚介類の生息場所を形成せんとするものであった。かかる窪みは、その内壁面が垂直であったために土砂が堆積しやすく貝類や水生昆虫等の底生動物の生息には好適であったが、土砂が順次堆積して窪みの水深が浅くなりやすく魚類の生息には不向きであり、魚類が寄り付かなくなる問題があった。
【０００４】
又後者の水路構造は、水路底面に窪みが形成されてはいるが落差工を前提としたものであるので、その窪みでは、落水の水の勢いによって渦流状の乱流が発生して淀み部分は存在しない。そのため該窪みは、魚類の遡上の為には好都合であっても魚類の生息場所（休息場所や産卵場所、越冬場所等）としては不適切であった。
【０００５】
又特開平９−１６５７３３号公報が開示するように、水路側部に魚巣を設けて魚類の休息場所や隠れ家、産卵場所を形成することも行われているが、かかる水路側部の魚巣は、その開口周辺の流速が速いために生息場所としての機能を有効に発揮しない問題があった他、魚巣に泥が堆積して生息空間が減少しやすく魚類の生息に不向きであり、折角設けた魚巣に魚類が寄り付かなくなる問題があった。
【特許文献１】特開平８−２２４５９１号公報（第６頁、図１１）
【特許文献２】特開平６−１２８９２９号公報（第２頁、図６）
【特許文献３】特開平９−１６５７３３号公報（第３頁、図４）
【発明の開示】
【発明が解決しようとする課題】
【０００６】
本発明は前記従来の問題点に鑑みて開発されたものであり、魚類の生息に適した淀み空間と、貝類や水生昆虫等の底生動物の生息に適した土砂の堆積部分を同時に形成できると共に、沈澱した土砂の排除が適度に行われて長期間に亘ってメンテナンスを要さない生態系配慮型水路構造の提供を課題とするものである。
【課題を解決するための手段】
【０００７】
本発明は前記課題を解決するため以下の手段を採用する。
即ち本発明に係る生態系配慮型水路構造は、河川等の水路の、水平乃至下流に向かって下向きに略一定勾配で傾斜する水路底面に、魚類が生息できる窪みが形成され、該窪みの水路上流側の面は略垂直な窪み立面に形成されると共に、該窪み立面の下端に略水平の窪み底面が連設され、又該窪み底面の下流端に、下流に向かって上向きに略一定勾配で傾斜する窪み傾斜面が連設されていることを特徴とするものである。
【０００８】
又本発明に係る生態系配慮型水路構造のより好ましい態様は、河川等の水路の、水平乃至下流に向かって下向きに略一定勾配で傾斜する水路底面に、魚類が生息できる窪みが形成され、該窪みの水路上流側の面は略垂直な窪み立面に形成されると共に、該窪み立面の下端に、下流に向かって下向きに略一定勾配で傾斜する窪み底面が連設され、又該窪み底面の下流端に、下流に向かって上向きに略一定勾配で傾斜する窪み傾斜面が連設されていることを特徴とするものである。
【０００９】
本発明に係る生態系配慮型水路構造のより具体的な態様は、河川等の水路の、水平乃至下流に向かって下向きに略一定勾配で傾斜する水路底面に、魚類が生息できる窪みが形成され、該窪みの水路上流側の面は略垂直な窪み立面に形成されると共に、該窪み立面の下端に略水平の窪み底面が連設され、又該窪み底面の下流端に、下流に向かって上向きに略一定勾配で傾斜する窪み傾斜面が連設されている。そして、前記窪み立面の高さをＨとしたとき、前記窪み底面の水路延長方向の長さ及び前記窪み傾斜面の水路延長方向の長さは共にＨ〜８Ｈに設定され、且つ前記窪み立面の高さＨが３０〜６５ｃｍに設定されていることを特徴とするものである。
【００１０】
又本発明に係る生態系配慮型水路構造のより具体的な他の態様は、河川等の水路の、水平乃至下流に向かって下向きに略一定勾配で傾斜する水路底面に、魚類が生息できる窪みが形成され、該窪みの水路上流側の面は略垂直な窪み立面に形成されると共に、該窪み立面の下端に、下流に向かって下向きに略一定勾配で傾斜する窪み底面が連設され、又該窪み底面の下流端に、下流に向かって上向きに略一定勾配で傾斜する窪み傾斜面が連設されている。そして前記窪み立面の高さをＨとしたとき、前記窪み底面の水路延長方向の長さ及び前記窪み傾斜面の水路延長方向の長さは共にＨ〜８Ｈに設定され、且つ前記窪み立面の高さＨが３０〜６５ｃｍに設定されていることを特徴とするものである。
【００１１】
前記各生態系配慮型水路構造において、窪み底面の前記窪み立面側に泥溜め凹部を設けるのがよい。又前記各生態系配慮型水路構造において、窪み立面で開口する魚巣を設けるのがよい。又前記各生態系配慮型水路構造において、窪み底面の前記窪み立面側に、前記窪みに向けての湧水の吐出を許容するが逆の流れは阻止する逆止弁付き湧水部を設けるのがよい。
【００１２】
又、窪み立面で開口する魚巣を設ける場合、前記窪み底面の前記窪み立面側に、前記窪みに向けての湧水の吐出を許容するが逆の流れは阻止する逆止弁付き湧水部を設けると共に、前記魚巣の内面側に、該魚巣に向けての湧水の吐出を許容するが逆の流れは阻止する逆止弁付き湧水部を設けるのがよい。
【発明の効果】
【００１３】
本発明は以下の如き優れた効果を奏する。
(1) 本発明に係る水路構造は、落差工にならない状態で窪みが形成され、該窪みの水路上流側の面が略垂直な窪み立面に形成されると共に、該窪み立面の下端に、略水平な窪み底面が連設され、或いは、下流に向かって下向きに略一定勾配で傾斜する窪み底面が連設され、又、該窪み底面の下流端に下流に向かって上向きに略一定勾配で傾斜する窪み傾斜面が連設された構成を有する。
従って本発明に係る水路構造によるときは、流速が遅く魚類の生息に適した淀み空間を窪み立面の近傍に形成できると共に、貝類や水生昆虫等の底生動物の生息に適した土砂の堆積部を該淀み空間の下流側に同時に形成でき、生態系上好ましい。
又前記窪みは、下流に向かって上向きに略一定勾配で傾斜する窪み傾斜面を具えるため、該窪み傾斜面に沿って上昇する水流の勢いによって、窪みに沈殿した土砂を下流側に排出する作用が適度に得られ、長期間に亘ってメンテナンスを要さない利点がある。
【００１４】
(2) 前記窪み底面を下流に向かって略一定勾配で傾斜する如く構成した場合は、前記淀み空間の底面に沈殿した土砂が下流側に移動し易くなるため、前記淀み空間の容積が減少するのを効果的に防止でき、又、土砂が堆積して水深が小さくなることによって淀み空間の流速が早くなるのを防止できる。かかることから、魚類の生息空間を良好に維持できる利点がある。又、該淀み空間の底面に土砂が堆積しにくいことから魚巣底面にも土砂が堆積しにくい利点がある。
【００１５】
(3) 前記窪み底面の前記窪み立面側に泥溜め凹部を設けた場合は、該泥溜め凹部を魚類の産卵場所や越冬場所となし得て魚類の生息環境を向上させ得る。
【００１６】
(4) 魚巣を前記窪みに設ける場合、該魚巣を前記窪み立面で開口するように設ける場合は、該魚巣が淀み空間に連通する状態となる。又、該淀み空間の底面に土砂が堆積しにくいことから魚巣底面に土砂が堆積しにくく、魚巣内の生息空間容積が減少するのを防止できる。かかることから、形成された魚巣は、流速が早く且つ土砂が堆積しやすい従来魚巣の問題点を解決でき、休息場所や産卵場所、避難場所としての魚巣本来の機能を有効に発揮できる。
【００１７】
(5) 前記窪み底面の前記窪み立面側に逆止弁付き湧水部を設けた場合は、前記淀み空間に新鮮な地下水を供給できることになり、淀み空間における魚類の生息環境を向上させ得る。併せて魚巣の内面側にも逆止弁付き湧水部を設ける場合は、魚巣にも新鮮な地下水を供給できることとなり、魚巣内の生息環境も向上させ得る。
【実施例１】
【００１８】
図１〜４において本発明に係る生態系配慮型水路構造（以下水路構造という）１は、１〜１０ｍ程度の水路幅（例えば２ｍの水路幅）を有する河川等の水路２の、水平乃至下流に向かって下向きに略一定勾配（例えば１／３００程度の勾配）で傾斜する水路底面３に、魚類が生息できる窪み５が形成されてなり、該窪み５の水路上流側の面は略垂直な窪み立面６として形成されている。又、前記窪み立面６の下端８に略水平の窪み底面９が連設されると共に該窪み底面９の下流端１０に、下流に向かって上向きに略一定勾配で傾斜する窪み傾斜面１１が連設されている。そして前記窪み立面６の高さをＨとしたとき、前記窪み底面９の水路延長方向の長さＬ１及び前記窪み傾斜面１１の水路延長方向の長さＬ２は共にＨ〜８Ｈに設定され、且つ前記窪み立面６の高さＨが３０〜６５ｃｍ（例えば５０ｃｍ）に設定されている。又、窪み立面６の左右に位置させて該窪み立面６で開口する魚巣１２，１２が設けられると共に、前記窪み底面９の前記窪み立面６側に、及び、該魚巣１２，１２の内面側に逆止弁付き湧水部１３が設けられている。
【００１９】
前記水路２は、その全体がプレキャストコンクリート製のブロック１５を用いて構築されており、該ブロック１５は、本実施例においては図３、図５に示すように、水路本体１６を構築する水路ブロック１７と、前記窪み５を構築する窪み形成ブロック１９と、前記魚巣１２を形成する魚巣形成ブロック２０とからなる。
【００２０】
前記水路ブロック１５は、本実施例においては図５に示すように、底板２１の両側で側板２２，２２が立設され且つ前後端（下流側が前）が開放されたＵ字溝状を呈し、ブロックの前後長さ及び水路幅が共に２ｍに設定されると共に、水路深さが１ｍに設定され、部材厚さが１０ｃｍに設定されている。
【００２１】
又前記窪み形成ブロック１９は、本実施例においては図５〜６に示すように、底板部２３の両側で側板部２５，２５が立設され且つ前後端（下流側が前）が開放されている。そして、両側板部２５，２５の内面間は２ｍに設定され、ブロックの前後長さは４ｍに設定され、前記側板部２５，２５の高さは等しく、両側板部２５，２５の後端高さは１ｍ５０ｃｍに設定されると共に前端高さは１ｍに設定されている。又、前記底板部２３及び前記両側板部２５，２５の肉厚は１０ｃｍに設定されている。そして、前記底板部２３の後側の半分はその上面が水平な窪み底面９として形成されると共に該底板部２３の前側部分の上面は、下流に向かって上向きに１０〜２５度の略一定勾配で緩く傾斜する前記窪み傾斜面１１として形成されている。該窪み形成ブロック１９の底板部２３の前面２６、両側板部２５，２５の前面２７，２７は図２に示すように、夫々、前記水路ブロック１７の前記底板２１の後面２９、両側板２２，２２の後面３０，３０と当接でき、又、該窪み形成ブロック１９の底板部２３の後面３１、両側板部２５，２５の後面３２，３２の上側部分３２ａ，３２ａは、夫々、前記水路ブロック１７の底板２１の前面３３、両側板２２，２２の前面３５，３５と当接し得る。
【００２２】
又前記魚巣形成ブロック２０は、本実施例においては図５、図７に示すように、左右方向の長さが２ｍ２０ｃｍに設定されると共に高さが５０ｃｍに設定され、全体が一体に形成されている。より具体的には、下流に向けて開口する角形空所としての前記魚巣１２を有する左右の魚巣部３６，３６の向き合う側面３７，３７の前端部（下流側が前）３９，３９相互が連結片４０で連結されると共に、両魚巣部３６，３６の外側面４１，４１の前端部４２，４２に張出片４３，４３が突設されている。該連結片４０の下面４５及び両張出片４３，４３の下面４６，４６は、両魚巣部３６，３６の下面４７，４７と面一であり、又該連結片４０の上面４９及び両張出片４３，４３の上面５０，５０は，両魚巣部３６，３６の上面５１，５１と面一である。又、両魚巣部３６，３６の前面５２，５２と前記連結片４０の前面５３と両張出片４３，４３の前面５５，５５は、面一の垂直面として形成されている。そして該前面５２，５２，５３，５５，５５（以下、全体をまとめて前面５６という）の下端部分５７は、前記窪み形成ブロック１９の底板部２３の後面３１（図５〜６）に当接し得ると共に、前記両張出片４３，４３の前面５５，５５の端部側の上側部分５５ａ，５５ａは、前記窪み形成ブロック１９の両側板部２５，２５の後面３２の下側部分３２ｂ，３２ｂ（図５〜６）に当接し得る。前記魚巣部３６の各部の寸法を例示すれば、肉厚が１０ｃｍに設定され、前記角形空所（魚巣１２）は、上下高さが３０ｃｍ、左右幅が４０ｃｍ，奥行きが４０ｃｍに設定されている。
【００２３】
前記逆止弁付き湧水部１３は、図８に示すように、前記窪み形成ブロック１９と前記魚巣部３６，３６に設けられている。又、窪み形成ブロック１９に関しては、前記底板部２３の後端３４から約２５ｃｍ前側に位置した部分の中央部位と、その両側に約５０ｃｍ間隔を隔てた部位に設けられており、一方前記魚巣部３６，３６に関しては、底面部５７の中央部位及び後面部５８の中央部位に設けられている。
【００２４】
該逆止弁付き湧水部１３の構成は、図９〜１１に示すように、上下方向又は前後方向に貫設した例えば直径６０ｍｍの装着孔５９に湧水具６０を装着して構成されており、該湧水具６０は、図９〜１０に示すように、塩化ビニール製等の筒状体（例えば円筒体）６１の一方の端部側に、底部分６２に円形孔６３が多数設けられた上端開放の偏平な弁収容部６５が設けられ、該弁収容部６５に弁体６６が付設されている。該弁体６６は、例えば、ゴム製の円板体として形成され、その上面の端部側にＶ字溝６７が形成されることにより固定部６９と弁本体７０が設けられている。そして該固定部６９が前記底部分６２の縁側にビス６８で固定されることにより、前記弁本体７０が、図１１に示すように、前記窪み５や前記魚巣１２における水圧によって前記底部分６２の全ての円形孔６３を塞ぐと共に、図１２に示すように、前記Ｖ字溝６７の溝底部７１を蝶番として開くことができ、前記窪み５や前記魚巣１２に向けての湧水の吐出を許容する。又前記円筒体６１の上端には、図９に示すように、係合鍔部７２が周設されている。
【００２５】
かかる構成の湧水具６０を前記底板部２３、前記底面部５７、前記後面部５８に装着して図８に示す前記逆止弁付き湧水部１３を構成するには、図１１に示すように、該円筒体６１を前記装着孔５９に挿入すると共に、前記係合鍔部７２を、前記装着孔５９の上端周縁部分又は前端周縁部分に設けられた周方向の嵌合溝７３（図９）に嵌め入れた状態で該円筒体６１を前記底板部２３や底面部５７、後面部５８に固定する。これにより、図１１に示すように、前記円筒体６１の下端７３が前記底板部２３の下面７５と面一となり且つ該円筒体６１の上端７６が前記底板部２３の上面７７と面一となる。
【００２６】
前記構成を有する水路ブロック１７と窪み形成ブロック１９と魚巣形成ブロック２０を用いて、魚巣付きの窪みが形成された水路構造１を構築するには、図１〜２に示すように、地盤を掘削して形成した水路構築部の底部８０に、例えば３０〜４０ｍに１箇所の割合で、その全幅に亘って所要形状且つ所要深さで掘り下げて窪み部８１を形成する。該窪み部８１の上面８２の形状は、前記窪み形成ブロック１９の底板部２３の下面形状に合致させる。そして、該上面８２に例えば１５ｃｍの厚さで砕石層８３を形成する。なお該砕石層８３は前記底板部２３の後端３４よりも後側に稍延長されている。該砕石層８３の上面８５に前記窪み形成ブロック１９の底板部２３を密着状態で載置する。その後、前記魚巣形成ブロック２０を、前記砕石層８３の後側の延長部の上面８６に、前記魚巣１２を前方に開口させて載置し、前記前面５６の下端部分５７（図７）を前記底板部２３の後面３１に当接させると共に、前記両張出片４３，４３の前面５５，５５の端部側の上側部分５５ａ，５５ａ（図７）を前記両側板部２５，２５の後面の下側部分３２ｂ，３２ｂ（図５〜６）に当接させる。これにより、図２に示すように、魚巣１２の底面８７が前記底板部２３の上面７７と面一になる。
【００２７】
その後、図１〜２に示すように、このように敷設された窪み形成ブロック１９の下流側において、該窪み形成ブロック１９の前端に連なるように前記水路ブロック１７の底板２１を前記水路構築部の前記底部８０に載置する。この際、該底板２１の後面２９を前記底板部２３の前面２６に当接させると共に（図２）、前記両側板２２，２２の後面３０，３０を前記両側板部２５，２５の前面２７，２７に当接させる。その後、図１に示すように、別の水路ブロック１７を、該敷設された水路ブロック１７の前端に、端部相互を当接状態にして敷設し、順次同様にして水路ブロック１７を敷設する。
【００２８】
又、敷設された前記窪み形成ブロック１９の上流側においては、図１〜２に示すように、前記水路ブロック１７の底板２１の前側部分２１ａを、敷設された魚巣形成ブロック２０の上面８９に載置すると共にその後側部分２１ｂを前記底部８０に載置する。この際、図４に示すように、該水路ブロック１７の底板２１の前面３３の両側部分３３ａを前記窪み形成ブロック１９の側板部２５の後面３２に当接させ、且つ該水路ブロック１７の両側板２２，２２の前面３５，３５を、前記窪み形成ブロック１９の両側板部２５，２５の後面の上側部分３２ａ，３２ａに当接させる。その後、別の水路ブロック１７を、該敷設された水路ブロック１７の後端に、端部相互を当接状態にして敷設し、順次同様にして水路ブロック１７を敷設する。
【００２９】
なお、前記のようにして敷設された水路ブロック１７，１７相互及び水路ブロック１７と前記窪み形成ブロック１９相互は、例えば図３に示すような連結金具９０を用いてボルト９１で連結する。このようにしてブロック相互を連結することにより、図１に示すような水路構造１を構築できる。
【００３０】
このように構成された水路構造１は、前記魚巣形成ブロック２０の前記前面５６と前記水路ブロック１７の底板２１の前面３とが形成する前記窪み立面６は略垂直を呈し、又該窪み立面６の高さＨは５０ｃｍに設定されており、この寸法は前記Ｈの寸法範囲にある。本実施例において前記窪み立面６の高さＨを５０ｃｍに設定した理由は、前記窪み５に生息する魚類の必要な生活水深（通常、その場所で生息する魚類の体長の約３倍として設定される）を保ち、且つ、該窪み５に生息する魚類を鳥類、特にサギ類等の外敵から効果的に保護できるようにする（通常、サギ類の足の長さ以上に設定される）ためである。
【００３１】
又、前記窪み底面９の水路延長方向の長さは２ｍ（４Ｈ）であり、この寸法は前記長さＨ〜８Ｈの寸法範囲にある。又、前記窪み傾斜面１１の水路延長方向の長さは２ｍ（４Ｈ）であることから、これは前記長さＨ〜８Ｈの寸法範囲にあり、該窪み傾斜面１１の傾斜角度は約１５度である。
【００３２】
かかる構成を有する水路構造１によるときは、前記窪み５の上流側の水路２ａを流れる水路水（通常、毎秒０．２〜３ｍ、例えば毎秒０．７ｍ程度）が該窪み５に達したとき、前記窪み立面６が略垂直に形成されていることから、該上流側の水路２ａの水深の下側の流水９２は、図１３、図８に矢印で示すように窪み５に斜め下方に流入して前方に移動する。そして該流入流９２ａは、前記窪み傾斜面１１の下側部分９４で、該下側部分９４に沿って上昇する上昇流９２ｂと、該下側部分９４に沿って下降する下降流９２ｃに分かれる。該上昇流９２ｂは窪み傾斜面１１を上昇して下流側の水路２ｂに流入する。一方前記下降流９２ｃは、前記窪み底面９に沿って前方に移動し、その後、前記窪み立面６寄り部分で上昇し、該上昇流９２ｄは、前記斜め下方の流入流９２ａに合流して前方に移動する。これにより、前記斜め下方の流入流９２ａの下側の、前記窪み立面６と前記上昇流９２ｄとの間に三角形状の淀み空間９６が形成される。この淀み空間９６は、流速が遅く、しかも空間底面９７に土砂も堆積しにくいことから、魚類にとって良好な生息空間となり得る。該空間底面９７に土砂が堆積しにくいのは、前記上流側の水路２ａの流水に混入していた土砂は、窪み５内を前記流水に乗って移動しやすいことから、前記窪み立面６側では堆積しにくく（通常、該窪み立面６から前方にＨ〜２Ｈの範囲には堆積しにくい）、それより先の窪み底面９で沈殿しやすいからである。そして、このような土砂の堆積は一定厚さ以上には成長しにくい。その理由は、土砂が一定厚さ、例えば１０〜２０ｃｍ程度の厚さに堆積した後は、該堆積層９８の上側の土砂が、前記斜め下方の流入流９２ａに乗って下流側に流され、その後、前記窪み傾斜面１１を上昇する上昇流９２ｂに乗って下流側の水路２ｂに排出されるからである。
【００３３】
従って、内壁面が垂直に形成された前記従来の窪みにおけるような、窪み５が短期間の内に土砂で埋まってしまうという事態が回避され、魚類の生息に必要な生息空間容積が該窪み５に長期間に亘って確保されることになる。そして前記土砂の堆積層９８は、貝類や水性昆虫等の底生動物にとって良好な生息場所となり得る。又前記魚巣１２は、魚類の休息場所や隠れ家、産卵場所として有効に機能し得る。なお本実施例においては、魚巣１２を、流速の特に遅い淀み空間の両側に設けているため、魚巣機能が一層良好に発揮される。
【００３４】
又本実施例においては前記のように、前記窪み立面６の下端近傍や前記魚巣１２の底面部５７及び後面部５８に逆止弁付き湧水部１３を設けているため、図８に矢印で示すように、該湧水部１３において新鮮な地下水を前記淀み空間９６に供給できると共に、前記魚巣１２にも新鮮な地下水を供給できる。前記淀み空間９６の水や前記魚巣１２の水は淀んで劣化し易いが、このように淀み空間９６や魚巣１２に新鮮な地下水が供給されることからこれらの場所の水質を向上させることができ、魚類の生息環境を向上させ得る。そして前記弁体６６の逆流防止作用によって、窪み５や魚巣１２内の水が地下水の水位低下に伴って湧水部１３を通して外部に流出するのを防止できる。
【実施例２】
【００３５】
図１４〜１６は本発明に係る水路構造１の他の実施例を示すものであり、前記実施例における場合と相違するのは、前記と同様の構成を有する窪み形成ブロック１９の前記底板部２３の後側部分に泥溜め凹部１０１を設けた点にあり、その余の構成は前記と同様である。
【００３６】
該泥溜め凹部１０１を形成するために、前記窪み形成ブロック１９の前記底板部２３の略全幅に亘って、前後幅が例えば７０ｃｍ程度の矩形状の欠切部１０２を設けると共に、該欠切部１０２に、上端が開放し且つ深さが１０〜２０ｃｍ程度（例えば１０ｃｍ程度）の前記泥溜め凹部１０１を有する泥溜めピット１０３を嵌め入れ、該泥溜めピット１０３を前記砕石層８３に載置してなり、該泥溜めピット１０３の上面１０５は前記底板部２３の上面７７と面一状態にある。
【００３７】
かかる構成の水路構造１によるときは、前記泥溜め凹部１０１に予め、例えば施工時に発生した土（現地発生土）を充填しておくことにより、前記淀み空間９６の底部に図１４に示す泥溜まり１０６が存在するため、頭部を泥に突っ込んで越冬したり泥に潜って越冬する魚類に対して、好適な越冬場所を提供できることになる。又該泥溜まり１０６は、魚類の産卵場所ともなり得る。
【００３８】
なお図１５においては、前記泥溜め凹部１０１が前記底板部２３の略全幅に亘って設けられているために、底板部２３には前記逆止弁付き湧水部１３は設けられていないが、該泥溜め凹部１０１が底板部２３の左右部分や中間部分に設けられたり、該泥溜め凹部１０１の前後幅が小さい場合は、該泥溜め凹部１０１の周辺に逆止弁付き湧水部１３が設けられることがある。
【実施例３】
【００３９】
図１7 は本発明に係る水路構造１の他の実施例を示すものであり、第１実施例の水路構造１と相違するのは、前記窪み形成ブロック１９を構成する窪み底面９を、その後端３４から下流に向かって下向きに略一定勾配で傾斜させた点にある。この傾斜角度θは、３〜１０度程度に好ましくは５度程度に設定される。この場合も前記と同様にして、前記底板部２３の前記窪み立面６側に逆止弁付き湧水部１３が設けられている。
【００４０】
前記のように、窪み立面６の近傍には流速の遅い淀み空間９６が形成されるため、その空間底面９７には土砂が堆積しにくいのであるが、前記窪み底面９が下流に向かって下向きに傾斜することから該空間底面９７に沈殿した土砂は、傾斜した窪み底面９に沿って下流側に移動し易く、それだけ前記淀み空間９６の容積減少が生じにくい。かかることから、魚類の必要な生息空間を長期間に亘って確保できることとなる。又、このように傾斜面を形成する結果、魚巣１２内への土砂の流入も防止できる。
【００４１】
図１８〜１９は、前記窪み底面９を、前記のように下流に向かって下向きに略一定勾配で傾斜させることに加え、前記窪み立面６側に、図１４に示すと同様にして、窪み形成ブロック１９を用いて泥溜め凹部１０１を形成した場合を示すものである。
【実施例４】
【００４２】
本発明は、前記実施例に示したものに限定されるものでは決してなく、「特許請求の範囲」の記載内で種々の設計変更が可能であるのはいうまでもない。その一例を挙げれば次のようである。
【００４３】
(1) 図２０、図２１は、前記窪み立面６で開口する魚巣１２の他の態様を示すものであり、左右に角形状の魚巣１２ａ，１２ａを具える前記魚巣形成ブロック２０において、その中央部分１０７に、内径が１０ｃｍで長さが４０ｃｍ程度の筒状魚巣（例えば円筒状魚巣）１２ｂを、上下２段で且つ左右方向に３列で設けた場合を示している。なお該筒状魚巣１２ｂの長さは５０〜７０ｃｍに設定されることもある。かかる構成の魚巣１２は、前記のように、窪み底面９が下流に向かって下向きに傾斜する場合にも応用され得る。
該筒状魚巣１０９は本実施例においては、図２２〜２３に示すように、左右の魚巣部３６，３６間をなす中間部１１０に、前端開放の６個の盲孔１１１を設けると共に各盲孔１１１に、塩化ビニル製の円筒パイプ１１２を挿入して形成されている。
【００４４】
前記窪み立面６で開口するように設けられる魚巣１２は、構築する水路の幅（例えば１〜７ｍ程度）や流速等を考慮して形状や大きさ、個数、配置状態が設定されるものである。例えば、窪み立面６の全体に左右幅の大なる魚巣を設けたり、中央部分に比較的大きな魚巣を設けその両側には前記筒状魚巣１２ｂを配置したり、或いは、窪み立面６の一方の側部には比較的大きな魚巣を設け、他方の側部には筒状魚巣１２ｂを設けたり、比較的大きな魚巣を、窪み立面６の左右方向に間隔を置いて３個以上設けたりする等、各種に魚巣を構成できる。
【００４５】
又前記魚巣１２は、前記のように、魚巣形成ブロック２０に組み込まれることによって該ブロックの前面５６が前記窪み立面６を形成することの他、魚巣１２が設けられた魚巣ブロック１１３の１個乃至複数個を用い、例えば図２４に示すように該魚巣ブロック１１３を左右に配置した後、両魚巣ブロック１１３，１１３間の部分及び左右の魚巣ブロックの外側部分に、両魚巣ブロックの前面１１４，１１４と面一状態にコンクリートを現場打ちすることによって前記窪み立面６を形成することもある。図２４においては、説明の便宜上、コンクリートの現場打ち部分１１５を散点を付して示している。
【００４６】
(2) 本発明において、略垂直な窪み立面６は、垂直な面の他、垂直線に対して上流側及び下流側に夫々１０度程度までの範囲で傾斜したものも含む。
【００４７】
(3) 本発明に係る水路構造１を構築する水路は、前記実施例で示したようなプレキャストコンクリート製のブロックを接合して構築されることの他、図２５に示すような、立上がり片１１６，１１６を両側に有するコ字状支持枠１１７を所要間隔を置いて並設すると共に、水路の長さ方向で隣り合う立上がり片１１６，１１６で側板１１９の両側部分を支持させて構成した水路に対しても応用できる他、現場打ち施工によっても構築される。又本発明に係る水路構造は、既設の水路に対しても応用できる。そして、かかる水路の水路底面３に、前記のようなプレキャストコンクリート製のブロック１５を用いて窪み５が構築され、或いは、現場打ち施工によって窪み５が構築される。
【００４８】
(4) 本発明に係る水路構造１は、前記窪み立面６の高さをＨとしたとき、前記窪み底面９の水路延長方向の長さ及び前記窪み傾斜面１１の水路延長方向の長さが共にＨ〜８Ｈに設定され、且つ前記窪み立面６の高さＨが３０〜６５ｃｍに設定されるのであるが、該窪み立面６の高さＨの寸法範囲は、該窪みに生息する魚類の生活水深（通常、その場所で生息する魚類の体長の約３倍として設定される）を保ち、且つ、該窪みに生息する魚類を鳥類、特にサギ類等の外敵から保護できるように（通常、サギ類の足の長さ以上に設定される）設定される。そして、窪み底面９の水路延長方向の長さをＨよりも小さくすることは、流速の遅い淀み空間９６の容積が小さくなるために好ましくなく、逆に８Ｈよりも大きくすることは、窪み傾斜面１１を上昇する上昇水の勢いが小さくなって該窪み傾斜面１１等に沈殿した土砂を排出し難くなって好ましくない。又、窪み傾斜面１１の水路延長方向の長さをＨよりも小さくすることは、該窪み傾斜面１１が急角度になって沈殿土砂の排出が円滑に行われ難くなるために好ましくない。逆に８Ｈよりも大きくすることは、窪み傾斜面１１の長さが長くなるために、窪み傾斜面１１を上昇する上昇水の勢いが小さくなって該窪み傾斜面１１に沈殿した土砂を排出し難くなって好ましくない。
【００４９】
(5) 前記窪み立面６の下端８から下流側に向かってＨ〜２Ｈまでの範囲は、流速の遅い空間を形成できることから、前記窪み底面９に設ける泥溜め凹部１０１は、前記窪み立面６の下端８から下流側に向かってＨ〜２Ｈまでの範囲で設けるのがよい。又前記泥溜め凹部１０１は、窪み底面９の全幅に亘って設けることの他、前記のように部分的に設けてもよい。
【００５０】
(6) 図２６は、前記窪み形成ブロック１９及び前記魚巣形成ブロック２０を基礎コンクリート１１９上に載置した状態を示す断面図であり、逆止弁付き湧水部１３を設けるべき部位において、前記底板部２３及び底面部５７に装着孔５９，５９を貫設すると共に、各装着孔５９に連通させて前記基礎コンクリート１１９に貫通孔１２０を設けている。そして各装着孔５９に、前記と同様にして湧水具６０を装着することにより逆止弁付き湧水部１３を構成している。このように構成した場合は、地下水が、前記貫通孔１２０及び前記湧水具の筒状体６１を通して前記窪み５や魚巣１２に流入できる。
逆止弁付き湧水部１３は、前記窪み５や前記魚巣１２に向けての湧水の吐出を許容するがその逆の流れは阻止する弁体６６を具えるものであれば各種の公知手段を用いて構成できる。
【００５１】
(7) 前記窪み５は、図３に示すように水路２の全幅に亘って形成されることの他、水路に棲息する魚類の特性等を考慮して流速の遅い部分に部分的に設けられることもある。例えば図２７においては、湾曲する水路２の湾曲部の内側部分２Ａに窪み５を設けており、図２８においては、直線状の水路２の両側部分２Ｂ，２Ｂに窪み５を設けている。この場合、一方の側部分にのみ窪みが設けられることもある。
【図面の簡単な説明】
【００５２】
【図１】本発明に係る水路構造を説明する断面図である。
【図２】その部分拡大図である。
【図３】その部分斜視図である。
【図４】その一部欠切の部分斜視図である。
【図５】水路構造を構成するブロックを分解して示す斜視図である。
【図６】窪み形成ブロックを示す斜視図である。
【図７】魚巣形成ブロックを示す斜視図である。
【図８】逆止弁付き湧水部における地下水の吐出状態を示す断面図である。
【図９】逆止弁付き湧水部の構成を説明する分解斜視図である。
【図１０】逆止弁付き湧水部を弁体が開いた状態で示す斜視図である。
【図１１】逆止弁付き湧水部を、弁体が閉じた状態で示す断面図である。
【図１２】逆止弁付き湧水部を、弁体が開いた状態で示す断面図である。
【図１３】水路構造の窪みにおける流水の流れ状態を示す断面図である。
【図１４】泥溜め凹部を具える水路構造を示す断面図である。
【図１５】その一部欠切斜視図である。
【図１６】その水路構造を構成する窪み形成ブロックと泥溜めピットを示す斜視図である。
【図１７】窪み底面が傾斜する水路構造を示す断面図である。
【図１８】窪み底面が傾斜し且つ該窪み底面に泥溜め凹部が設けられた水路構造を示す断面図である。
【図１９】その一部欠切の部分斜視図である。
【図２０】筒状魚巣を具える水路構造を示す一部欠切斜視図である。
【図２１】筒状魚巣を具える水路構造のその他の態様を示す一部欠切斜視図である。
【図２２】筒状魚巣の構成を説明する分解斜視図である。
【図２３】筒状魚巣を示す断面図である。
【図２４】窪み立面の他の構成を説明する正面図である。
【図２５】水路の他の構成を説明する斜視図である。
【図２６】基礎コンクリート上に魚巣形成ブロックを載置した場合の逆止弁付き湧水部を示す断面図である。
【図２７】水路における窪みの他の配置状態を示す平面図である。
【図２８】水路における窪みのその他の配置状態を示す平面図である。
【符号の説明】
【００５３】
１  水路構造
２  水路
３  水路底面
５  窪み
６  窪み立面
９  窪み底面
１１  窪み傾斜面
１２  魚巣
１３  逆止弁付き湧水部
１７  水路ブロック
１９  窪み形成ブロック
２０  魚巣形成ブロック
２３  底板部
２５  側板部
６０  湧水具
６６  弁体
【図１】
2006138168.tif 000003
【図２】
2006138168.tif 000004
【図３】
2006138168.tif 000005
【図４】
2006138168.tif 000006
【図５】
2006138168.tif 000007
【図６】
2006138168.tif 000008
【図７】
2006138168.tif 000009
【図８】
2006138168.tif 000010
【図９】
2006138168.tif 000011
【図１０】
2006138168.tif 000012
【図１１】
2006138168.tif 000013
【図１２】
2006138168.tif 000014
【図１３】
2006138168.tif 000015
【図１４】
2006138168.tif 000016
【図１５】
2006138168.tif 000017
【図１６】
2006138168.tif 000018
【図１７】
2006138168.tif 000019
【図１８】
2006138168.tif 000020
【図１９】
2006138168.tif 000021
【図２０】
2006138168.tif 000022
【図２１】
2006138168.tif 000023
【図２２】
2006138168.tif 000024
【図２３】
2006138168.tif 000025
【図２４】
2006138168.tif 000026
【図２５】
2006138168.tif 000027
【図２６】
2006138168.tif 000028
【図２７】
2006138168.tif 000029
【図２８】
2006138168.tif 000030
【手続補正書】
【提出日】平成17年10月7日(2005.10.7)
【手続補正１】
【補正対象書類名】特許請求の範囲
【補正対象項目名】全文
【補正方法】変更
【補正の内容】
【特許請求の範囲】
【請求項１】
河川等の水路の、水平乃至下流に向かって下向きに略一定勾配で傾斜する水路底面に、魚類が生息できる窪みが形成され、該窪みの水路上流側の面は略垂直な窪み立面に形成されると共に、該窪み立面の下端に略水平の窪み底面が連設され、又該窪み底面の下流端に、下流に向かって上向きに略一定勾配で傾斜する窪み傾斜面が連設されており、又、前記窪み底面の前記窪み立面側に、前記窪みに向けての湧水の吐出を許容するが逆の流れは阻止する逆止弁付き湧水部を設けたことを特徴とする生態系配慮型水路構造。
【請求項２】
河川等の水路の、水平乃至下流に向かって下向きに略一定勾配で傾斜する水路底面に、魚類が生息できる窪みが形成され、該窪みの水路上流側の面は略垂直な窪み立面に形成されると共に、該窪み立面の下端に、下流に向かって下向きに略一定勾配で傾斜する窪み底面が連設され、又該窪み底面の下流端に、下流に向かって上向きに略一定勾配で傾斜する窪み傾斜面が連設されており、又、前記窪み底面の前記窪み立面側に、前記窪みに向けての湧水の吐出を許容するが逆の流れは阻止する逆止弁付き湧水部を設けたことを特徴とする生態系配慮型水路構造。
【請求項３】
河川等の水路の、水平乃至下流に向かって下向きに略一定勾配で傾斜する水路底面に、魚類が生息できる窪みが形成され、該窪みの水路上流側の面は略垂直な窪み立面に形成されると共に、該窪み立面の下端に略水平の窪み底面が連設され、又該窪み底面の下流端に、下流に向かって上向きに略一定勾配で傾斜する窪み傾斜面が連設されており、又、前記窪み立面で開口する魚巣が設けられると共に、前記窪み底面の前記窪み立面側に、前記窪みに向けての湧水の吐出を許容するが逆の流れは阻止する逆止弁付き湧水部を設けると共に、前記魚巣の内面側に、該魚巣に向けての湧水の吐出を許容するが逆の流れは阻止する逆止弁付き湧水部を設けたことを特徴とする生態系配慮型水路構造。
【請求項４】
河川等の水路の、水平乃至下流に向かって下向きに略一定勾配で傾斜する水路底面に、魚類が生息できる窪みが形成され、該窪みの水路上流側の面は略垂直な窪み立面に形成されると共に、該窪み立面の下端に、下流に向かって下向きに略一定勾配で傾斜する窪み底面が連設され、又該窪み底面の下流端に、下流に向かって上向きに略一定勾配で傾斜する窪み傾斜面が連設されており、又、前記窪み立面で開口する魚巣が設けられると共に、前記窪み底面の前記窪み立面側に、前記窪みに向けての湧水の吐出を許容するが逆の流れは阻止する逆止弁付き湧水部を設けると共に、前記魚巣の内面側に、該魚巣に向けての湧水の吐出を許容するが逆の流れは阻止する逆止弁付き湧水部を設けたことを特徴とする生態系配慮型水路構造。
【手続補正２】
【補正対象書類名】明細書
【補正対象項目名】全文
【補正方法】変更
【補正の内容】
【発明の詳細な説明】
【技術分野】
【０００１】
本発明は、魚介類の生息に適した窪みを具える生態系配慮型水路構造に関するものである。
【背景技術】
【０００２】
魚介類の生息に配慮した水路構造の一例としては、特開平８−２２４５９１号公報や特開平６−１２８９２９号公報が開示するような、水路底面に窪みを設けた水路構造が提案されている。
【０００３】
前者の水路構造は、水平乃至下流に向かって下向きに略一定勾配で傾斜する水路底面に、内壁面が垂直に形成された窪みを形成したものであり、該窪みに土砂を堆積させて魚介類の生息場所を形成せんとするものであった。かかる窪みは、その内壁面が垂直であったために土砂が堆積しやすく貝類や水生昆虫等の底生動物の生息には好適であったが、土砂が順次堆積して窪みの水深が浅くなりやすく魚類の生息には不向きであり、魚類が寄り付かなくなる問題があった。
【０００４】
又後者の水路構造は、水路底面に窪みが形成されてはいるが落差工を前提としたものであるので、その窪みでは、落水の水の勢いによって渦流状の乱流が発生して淀み部分は存在しない。そのため該窪みは、魚類の遡上の為には好都合であっても魚類の生息場所（休息場所や産卵場所、越冬場所等）としては不適切であった。
【０００５】
又特開平９−１６５７３３号公報が開示するように、水路側部に魚巣を設けて魚類の休息場所や隠れ家、産卵場所を形成することも行われているが、かかる水路側部の魚巣は、その開口周辺の流速が速いために生息場所としての機能を有効に発揮しない問題があった他、魚巣に泥が堆積して生息空間が減少しやすく魚類の生息に不向きであり、折角設けた魚巣に魚類が寄り付かなくなる問題があった。
【特許文献１】特開平８−２２４５９１号公報（第６頁、図１１）
【特許文献２】特開平６−１２８９２９号公報（第２頁、図６）
【特許文献３】特開平９−１６５７３３号公報（第３頁、図４）
【発明の開示】
【発明が解決しようとする課題】
【０００６】
本発明は前記従来の問題点に鑑みて開発されたものであり、魚類の生息に適した淀み空間と、貝類や水生昆虫等の底生動物の生息に適した土砂の堆積部分を同時に形成できると共に、沈澱した土砂の排除が適度に行われて長期間に亘ってメンテナンスを要さない生態系配慮型水路構造の提供を課題とするものである。
【課題を解決するための手段】
【０００７】
本発明は前記課題を解決するため以下の手段を採用する。
即ち本発明に係る生態系配慮型水路構造は、河川等の水路の、水平乃至下流に向かって下向きに略一定勾配で傾斜する水路底面に、魚類が生息できる窪みが形成され、該窪みの水路上流側の面は略垂直な窪み立面に形成されると共に、該窪み立面の下端に略水平の窪み底面が連設され、又該窪み底面の下流端に、下流に向かって上向きに略一定勾配で傾斜する窪み傾斜面が連設されており、又、前記窪み底面の前記窪み立面側に、前記窪みに向けての湧水の吐出を許容するが逆の流れは阻止する逆止弁付き湧水部を設けたことを特徴とするものである。
【０００８】
又本発明に係る生態系配慮型水路構造のより好ましい態様は、河川等の水路の、水平乃至下流に向かって下向きに略一定勾配で傾斜する水路底面に、魚類が生息できる窪みが形成され、該窪みの水路上流側の面は略垂直な窪み立面に形成されると共に、該窪み立面の下端に、下流に向かって下向きに略一定勾配で傾斜する窪み底面が連設され、又該窪み底面の下流端に、下流に向かって上向きに略一定勾配で傾斜する窪み傾斜面が連設されており、又、前記窪み底面の前記窪み立面側に、前記窪みに向けての湧水の吐出を許容するが逆の流れは阻止する逆止弁付き湧水部を設けたことを特徴とするものである。
【０００９】
本発明に係る生態系配慮型水路構造のより具体的な態様は、河川等の水路の、水平乃至下流に向かって下向きに略一定勾配で傾斜する水路底面に、魚類が生息できる窪みが形成され、該窪みの水路上流側の面は略垂直な窪み立面に形成されると共に、該窪み立面の下端に略水平の窪み底面が連設され、又該窪み底面の下流端に、下流に向かって上向きに略一定勾配で傾斜する窪み傾斜面が連設されており、又、前記窪み立面で開口する魚巣が設けられると共に、前記窪み底面の前記窪み立面側に、前記窪みに向けての湧水の吐出を許容するが逆の流れは阻止する逆止弁付き湧水部を設けると共に、前記魚巣の内面側に、該魚巣に向けての湧水の吐出を許容するが逆の流れは阻止する逆止弁付き湧水部を設けたことを特徴とするものである。
【００１０】
又本発明に係る生態系配慮型水路構造のより具体的な他の態様は、河川等の水路の、水平乃至下流に向かって下向きに略一定勾配で傾斜する水路底面に、魚類が生息できる窪みが形成され、該窪みの水路上流側の面は略垂直な窪み立面に形成されると共に、該窪み立面の下端に、下流に向かって下向きに略一定勾配で傾斜する窪み底面が連設され、又該窪み底面の下流端に、下流に向かって上向きに略一定勾配で傾斜する窪み傾斜面が連設されており、又、前記窪み立面で開口する魚巣が設けられると共に、前記窪み底面の前記窪み立面側に、前記窪みに向けての湧水の吐出を許容するが逆の流れは阻止する逆止弁付き湧水部を設けると共に、前記魚巣の内面側に、該魚巣に向けての湧水の吐出を許容するが逆の流れは阻止する逆止弁付き湧水部を設けたことを特徴とするものである。
【発明の効果】
【００１１】
本発明は以下の如き優れた効果を奏する。
(1) 本発明に係る水路構造は、落差工にならない状態で窪みが形成され、該窪みの水路上流側の面が略垂直な窪み立面に形成されると共に、該窪み立面の下端に、略水平な窪み底面が連設され、或いは、下流に向かって下向きに略一定勾配で傾斜する窪み底面が連設され、又、該窪み底面の下流端に下流に向かって上向きに略一定勾配で傾斜する窪み傾斜面が連設された構成を有する。
従って本発明に係る水路構造によるときは、流速が遅く魚類の生息に適した淀み空間を窪み立面の近傍に形成できると共に、貝類や水生昆虫等の底生動物の生息に適した土砂の堆積部を該淀み空間の下流側に同時に形成でき、生態系上好ましい。
又前記窪みは、下流に向かって上向きに略一定勾配で傾斜する窪み傾斜面を具えるため、該窪み傾斜面に沿って上昇する水流の勢いによって、窪みに沈殿した土砂を下流側に排出する作用が適度に得られ、長期間に亘ってメンテナンスを要さない利点がある。
【００１２】
(2) 前記窪み底面を下流に向かって略一定勾配で傾斜する如く構成した場合は、前記淀み空間の底面に沈殿した土砂が下流側に移動し易くなるため、前記淀み空間の容積が減少するのを効果的に防止でき、又、土砂が堆積して水深が小さくなることによって淀み空間の流速が早くなるのを防止できる。かかることから、魚類の生息空間を良好に維持できる利点がある。又、該淀み空間の底面に土砂が堆積しにくいことから魚巣底面にも土砂が堆積しにくい利点がある。
【００１３】
(3) 前記窪み底面の前記窪み立面側に泥溜め凹部を設けた場合は、該泥溜め凹部を魚類の産卵場所や越冬場所となし得て魚類の生息環境を向上させ得る。
【００１４】
(4) 魚巣を前記窪みに設ける場合、該魚巣を前記窪み立面で開口するように設ける場合は、該魚巣が淀み空間に連通する状態となる。又、該淀み空間の底面に土砂が堆積しにくいことから魚巣底面に土砂が堆積しにくく、魚巣内の生息空間容積が減少するのを防止できる。かかることから、形成された魚巣は、流速が早く且つ土砂が堆積しやすい従来魚巣の問題点を解決でき、休息場所や産卵場所、避難場所としての魚巣本来の機能を有効に発揮できる。
【００１５】
(5) 前記窪み底面の前記窪み立面側に逆止弁付き湧水部を設けた場合は、前記淀み空間に新鮮な地下水を供給できることになり、淀み空間における魚類の生息環境を向上させ得る。併せて魚巣の内面側にも逆止弁付き湧水部を設ける場合は、魚巣にも新鮮な地下水を供給できることとなり、魚巣内の生息環境も向上させ得る。
【実施例１】
【００１６】
図１〜４において本発明に係る生態系配慮型水路構造（以下水路構造という）１は、１〜１０ｍ程度の水路幅（例えば２ｍの水路幅）を有する河川等の水路２の、水平乃至下流に向かって下向きに略一定勾配（例えば１／３００程度の勾配）で傾斜する水路底面３に、魚類が生息できる窪み５が形成されてなり、該窪み５の水路上流側の面は略垂直な窪み立面６として形成されている。又、前記窪み立面６の下端８に略水平の窪み底面９が連設されると共に該窪み底面９の下流端１０に、下流に向かって上向きに略一定勾配で傾斜する窪み傾斜面１１が連設されている。そして前記窪み立面６の高さをＨとしたとき、前記窪み底面９の水路延長方向の長さＬ１及び前記窪み傾斜面１１の水路延長方向の長さＬ２は共にＨ〜８Ｈに設定され、且つ前記窪み立面６の高さＨが３０〜６５ｃｍ（例えば５０ｃｍ）に設定されている。又、窪み立面６の左右に位置させて該窪み立面６で開口する魚巣１２，１２が設けられると共に、前記窪み底面９の前記窪み立面６側に、及び、該魚巣１２，１２の内面側に逆止弁付き湧水部１３が設けられている。
【００１７】
前記水路２は、その全体がプレキャストコンクリート製のブロック１５を用いて構築されており、該ブロック１５は、本実施例においては図３、図５に示すように、水路本体１６を構築する水路ブロック１７と、前記窪み５を構築する窪み形成ブロック１９と、前記魚巣１２を形成する魚巣形成ブロック２０とからなる。
【００１８】
前記水路ブロック１５は、本実施例においては図５に示すように、底板２１の両側で側板２２，２２が立設され且つ前後端（下流側が前）が開放されたＵ字溝状を呈し、ブロックの前後長さ及び水路幅が共に２ｍに設定されると共に、水路深さが１ｍに設定され、部材厚さが１０ｃｍに設定されている。
【００１９】
又前記窪み形成ブロック１９は、本実施例においては図５〜６に示すように、底板部２３の両側で側板部２５，２５が立設され且つ前後端（下流側が前）が開放されている。そして、両側板部２５，２５の内面間は２ｍに設定され、ブロックの前後長さは４ｍに設定され、前記側板部２５，２５の高さは等しく、両側板部２５，２５の後端高さは１ｍ５０ｃｍに設定されると共に前端高さは１ｍに設定されている。又、前記底板部２３及び前記両側板部２５，２５の肉厚は１０ｃｍに設定されている。そして、前記底板部２３の後側の半分はその上面が水平な窪み底面９として形成されると共に該底板部２３の前側部分の上面は、下流に向かって上向きに１０〜２５度の略一定勾配で緩く傾斜する前記窪み傾斜面１１として形成されている。該窪み形成ブロック１９の底板部２３の前面２６、両側板部２５，２５の前面２７，２７は図２に示すように、夫々、前記水路ブロック１７の前記底板２１の後面２９、両側板２２，２２の後面３０，３０と当接でき、又、該窪み形成ブロック１９の底板部２３の後面３１、両側板部２５，２５の後面３２，３２の上側部分３２ａ，３２ａは、夫々、前記水路ブロック１７の底板２１の前面３３、両側板２２，２２の前面３５，３５と当接し得る。
【００２０】
又前記魚巣形成ブロック２０は、本実施例においては図５、図７に示すように、左右方向の長さが２ｍ２０ｃｍに設定されると共に高さが５０ｃｍに設定され、全体が一体に形成されている。より具体的には、下流に向けて開口する角形空所としての前記魚巣１２を有する左右の魚巣部３６，３６の向き合う側面３７，３７の前端部（下流側が前）３９，３９相互が連結片４０で連結されると共に、両魚巣部３６，３６の外側面４１，４１の前端部４２，４２に張出片４３，４３が突設されている。該連結片４０の下面４５及び両張出片４３，４３の下面４６，４６は、両魚巣部３６，３６の下面４７，４７と面一であり、又該連結片４０の上面４９及び両張出片４３，４３の上面５０，５０は，両魚巣部３６，３６の上面５１，５１と面一である。又、両魚巣部３６，３６の前面５２，５２と前記連結片４０の前面５３と両張出片４３，４３の前面５５，５５は、面一の垂直面として形成されている。そして該前面５２，５２，５３，５５，５５（以下、全体をまとめて前面５６という）の下端部分５７は、前記窪み形成ブロック１９の底板部２３の後面３１（図５〜６）に当接し得ると共に、前記両張出片４３，４３の前面５５，５５の端部側の上側部分５５ａ，５５ａは、前記窪み形成ブロック１９の両側板部２５，２５の後面３２の下側部分３２ｂ，３２ｂ（図５〜６）に当接し得る。前記魚巣部３６の各部の寸法を例示すれば、肉厚が１０ｃｍに設定され、前記角形空所（魚巣１２）は、上下高さが３０ｃｍ、左右幅が４０ｃｍ，奥行きが４０ｃｍに設定されている。
【００２１】
前記逆止弁付き湧水部１３は、図８に示すように、前記窪み形成ブロック１９と前記魚巣部３６，３６に設けられている。又、窪み形成ブロック１９に関しては、前記底板部２３の後端３４から約２５ｃｍ前側に位置した部分の中央部位と、その両側に約５０ｃｍ間隔を隔てた部位に設けられており、一方前記魚巣部３６，３６に関しては、底面部５７の中央部位及び後面部５８の中央部位に設けられている。
【００２２】
該逆止弁付き湧水部１３の構成は、図９〜１１に示すように、上下方向又は前後方向に貫設した例えば直径６０ｍｍの装着孔５９に湧水具６０を装着して構成されており、該湧水具６０は、図９〜１０に示すように、塩化ビニール製等の筒状体（例えば円筒体）６１の一方の端部側に、底部分６２に円形孔６３が多数設けられた上端開放の偏平な弁収容部６５が設けられ、該弁収容部６５に弁体６６が付設されている。該弁体６６は、例えば、ゴム製の円板体として形成され、その上面の端部側にＶ字溝６７が形成されることにより固定部６９と弁本体７０が設けられている。そして該固定部６９が前記底部分６２の縁側にビス６８で固定されることにより、前記弁本体７０が、図１１に示すように、前記窪み５や前記魚巣１２における水圧によって前記底部分６２の全ての円形孔６３を塞ぐと共に、図１２に示すように、前記Ｖ字溝６７の溝底部７１を蝶番として開くことができ、前記窪み５や前記魚巣１２に向けての湧水の吐出を許容する。又前記円筒体６１の上端には、図９に示すように、係合鍔部７２が周設されている。
【００２３】
かかる構成の湧水具６０を前記底板部２３、前記底面部５７、前記後面部５８に装着して図８に示す前記逆止弁付き湧水部１３を構成するには、図１１に示すように、該円筒体６１を前記装着孔５９に挿入すると共に、前記係合鍔部７２を、前記装着孔５９の上端周縁部分又は前端周縁部分に設けられた周方向の嵌合溝７３（図９）に嵌め入れた状態で該円筒体６１を前記底板部２３や底面部５７、後面部５８に固定する。これにより、図１１に示すように、前記円筒体６１の下端７３が前記底板部２３の下面７５と面一となり且つ該円筒体６１の上端７６が前記底板部２３の上面７７と面一となる。
【００２４】
前記構成を有する水路ブロック１７と窪み形成ブロック１９と魚巣形成ブロック２０を用いて、魚巣付きの窪みが形成された水路構造１を構築するには、図１〜２に示すように、地盤を掘削して形成した水路構築部の底部８０に、例えば３０〜４０ｍに１箇所の割合で、その全幅に亘って所要形状且つ所要深さで掘り下げて窪み部８１を形成する。該窪み部８１の上面８２の形状は、前記窪み形成ブロック１９の底板部２３の下面形状に合致させる。そして、該上面８２に例えば１５ｃｍの厚さで砕石層８３を形成する。なお該砕石層８３は前記底板部２３の後端３４よりも後側に稍延長されている。該砕石層８３の上面８５に前記窪み形成ブロック１９の底板部２３を密着状態で載置する。その後、前記魚巣形成ブロック２０を、前記砕石層８３の後側の延長部の上面８６に、前記魚巣１２を前方に開口させて載置し、前記前面５６の下端部分５７（図７）を前記底板部２３の後面３１に当接させると共に、前記両張出片４３，４３の前面５５，５５の端部側の上側部分５５ａ，５５ａ（図７）を前記両側板部２５，２５の後面の下側部分３２ｂ，３２ｂ（図５〜６）に当接させる。これにより、図２に示すように、魚巣１２の底面８７が前記底板部２３の上面７７と面一になる。
【００２５】
その後、図１〜２に示すように、このように敷設された窪み形成ブロック１９の下流側において、該窪み形成ブロック１９の前端に連なるように前記水路ブロック１７の底板２１を前記水路構築部の前記底部８０に載置する。この際、該底板２１の後面２９を前記底板部２３の前面２６に当接させると共に（図２）、前記両側板２２，２２の後面３０，３０を前記両側板部２５，２５の前面２７，２７に当接させる。その後、図１に示すように、別の水路ブロック１７を、該敷設された水路ブロック１７の前端に、端部相互を当接状態にして敷設し、順次同様にして水路ブロック１７を敷設する。
【００２６】
又、敷設された前記窪み形成ブロック１９の上流側においては、図１〜２に示すように、前記水路ブロック１７の底板２１の前側部分２１ａを、敷設された魚巣形成ブロック２０の上面８９に載置すると共にその後側部分２１ｂを前記底部８０に載置する。この際、図４に示すように、該水路ブロック１７の底板２１の前面３３の両側部分３３ａを前記窪み形成ブロック１９の側板部２５の後面３２に当接させ、且つ該水路ブロック１７の両側板２２，２２の前面３５，３５を、前記窪み形成ブロック１９の両側板部２５，２５の後面の上側部分３２ａ，３２ａに当接させる。その後、別の水路ブロック１７を、該敷設された水路ブロック１７の後端に、端部相互を当接状態にして敷設し、順次同様にして水路ブロック１７を敷設する。
【００２７】
なお、前記のようにして敷設された水路ブロック１７，１７相互及び水路ブロック１７と前記窪み形成ブロック１９相互は、例えば図３に示すような連結金具９０を用いてボルト９１で連結する。このようにしてブロック相互を連結することにより、図１に示すような水路構造１を構築できる。
【００２８】
このように構成された水路構造１は、前記魚巣形成ブロック２０の前記前面５６と前記水路ブロック１７の底板２１の前面３とが形成する前記窪み立面６は略垂直を呈し、又該窪み立面６の高さＨは５０ｃｍに設定されており、この寸法は前記Ｈの寸法範囲にある。本実施例において前記窪み立面６の高さＨを５０ｃｍに設定した理由は、前記窪み５に生息する魚類の必要な生活水深（通常、その場所で生息する魚類の体長の約３倍として設定される）を保ち、且つ、該窪み５に生息する魚類を鳥類、特にサギ類等の外敵から効果的に保護できるようにする（通常、サギ類の足の長さ以上に設定される）ためである。
【００２９】
又、前記窪み底面９の水路延長方向の長さは２ｍ（４Ｈ）であり、この寸法は前記長さＨ〜８Ｈの寸法範囲にある。又、前記窪み傾斜面１１の水路延長方向の長さは２ｍ（４Ｈ）であることから、これは前記長さＨ〜８Ｈの寸法範囲にあり、該窪み傾斜面１１の傾斜角度は約１５度である。
【００３０】
かかる構成を有する水路構造１によるときは、前記窪み５の上流側の水路２ａを流れる水路水（通常、毎秒０．２〜３ｍ、例えば毎秒０．７ｍ程度）が該窪み５に達したとき、前記窪み立面６が略垂直に形成されていることから、該上流側の水路２ａの水深の下側の流水９２は、図１３、図８に矢印で示すように窪み５に斜め下方に流入して前方に移動する。そして該流入流９２ａは、前記窪み傾斜面１１の下側部分９４で、該下側部分９４に沿って上昇する上昇流９２ｂと、該下側部分９４に沿って下降する下降流９２ｃに分かれる。該上昇流９２ｂは窪み傾斜面１１を上昇して下流側の水路２ｂに流入する。一方前記下降流９２ｃは、前記窪み底面９に沿って前方に移動し、その後、前記窪み立面６寄り部分で上昇し、該上昇流９２ｄは、前記斜め下方の流入流９２ａに合流して前方に移動する。これにより、前記斜め下方の流入流９２ａの下側の、前記窪み立面６と前記上昇流９２ｄとの間に三角形状の淀み空間９６が形成される。この淀み空間９６は、流速が遅く、しかも空間底面９７に土砂も堆積しにくいことから、魚類にとって良好な生息空間となり得る。該空間底面９７に土砂が堆積しにくいのは、前記上流側の水路２ａの流水に混入していた土砂は、窪み５内を前記流水に乗って移動しやすいことから、前記窪み立面６側では堆積しにくく（通常、該窪み立面６から前方にＨ〜２Ｈの範囲には堆積しにくい）、それより先の窪み底面９で沈殿しやすいからである。そして、このような土砂の堆積は一定厚さ以上には成長しにくい。その理由は、土砂が一定厚さ、例えば１０〜２０ｃｍ程度の厚さに堆積した後は、該堆積層９８の上側の土砂が、前記斜め下方の流入流９２ａに乗って下流側に流され、その後、前記窪み傾斜面１１を上昇する上昇流９２ｂに乗って下流側の水路２ｂに排出されるからである。
【００３１】
従って、内壁面が垂直に形成された前記従来の窪みにおけるような、窪み５が短期間の内に土砂で埋まってしまうという事態が回避され、魚類の生息に必要な生息空間容積が該窪み５に長期間に亘って確保されることになる。そして前記土砂の堆積層９８は、貝類や水性昆虫等の底生動物にとって良好な生息場所となり得る。又前記魚巣１２は、魚類の休息場所や隠れ家、産卵場所として有効に機能し得る。なお本実施例においては、魚巣１２を、流速の特に遅い淀み空間の両側に設けているため、魚巣機能が一層良好に発揮される。
【００３２】
又本実施例においては前記のように、前記窪み立面６の下端近傍や前記魚巣１２の底面部５７及び後面部５８に逆止弁付き湧水部１３を設けているため、図８に矢印で示すように、該湧水部１３において新鮮な地下水を前記淀み空間９６に供給できると共に、前記魚巣１２にも新鮮な地下水を供給できる。前記淀み空間９６の水や前記魚巣１２の水は淀んで劣化し易いが、このように淀み空間９６や魚巣１２に新鮮な地下水が供給されることからこれらの場所の水質を向上させることができ、魚類の生息環境を向上させ得る。そして前記弁体６６の逆流防止作用によって、窪み５や魚巣１２内の水が地下水の水位低下に伴って湧水部１３を通して外部に流出するのを防止できる。
【実施例２】
【００３３】
図１４〜１６は本発明に係る水路構造１の他の実施例を示すものであり、前記実施例における場合と相違するのは、前記と同様の構成を有する窪み形成ブロック１９の前記底板部２３の後側部分に泥溜め凹部１０１を設けた点にあり、その余の構成は前記と同様である。
【００３４】
該泥溜め凹部１０１を形成するために、前記窪み形成ブロック１９の前記底板部２３の略全幅に亘って、前後幅が例えば７０ｃｍ程度の矩形状の欠切部１０２を設けると共に、該欠切部１０２に、上端が開放し且つ深さが１０〜２０ｃｍ程度（例えば１０ｃｍ程度）の前記泥溜め凹部１０１を有する泥溜めピット１０３を嵌め入れ、該泥溜めピット１０３を前記砕石層８３に載置してなり、該泥溜めピット１０３の上面１０５は前記底板部２３の上面７７と面一状態にある。
【００３５】
かかる構成の水路構造１によるときは、前記泥溜め凹部１０１に予め、例えば施工時に発生した土（現地発生土）を充填しておくことにより、前記淀み空間９６の底部に図１４に示す泥溜まり１０６が存在するため、頭部を泥に突っ込んで越冬したり泥に潜って越冬する魚類に対して、好適な越冬場所を提供できることになる。又該泥溜まり１０６は、魚類の産卵場所ともなり得る。
【００３６】
なお図１５においては、前記泥溜め凹部１０１が前記底板部２３の略全幅に亘って設けられているために、底板部２３には前記逆止弁付き湧水部１３は設けられていないが、該泥溜め凹部１０１が底板部２３の左右部分や中間部分に設けられたり、該泥溜め凹部１０１の前後幅が小さい場合は、該泥溜め凹部１０１の周辺に逆止弁付き湧水部１３が設けられることがある。
【実施例３】
【００３７】
図１7 は本発明に係る水路構造１の他の実施例を示すものであり、第１実施例の水路構造１と相違するのは、前記窪み形成ブロック１９を構成する窪み底面９を、その後端３４から下流に向かって下向きに略一定勾配で傾斜させた点にある。この傾斜角度θは、３〜１０度程度に好ましくは５度程度に設定される。この場合も前記と同様にして、前記底板部２３の前記窪み立面６側に逆止弁付き湧水部１３が設けられている。
【００３８】
前記のように、窪み立面６の近傍には流速の遅い淀み空間９６が形成されるため、その空間底面９７には土砂が堆積しにくいのであるが、前記窪み底面９が下流に向かって下向きに傾斜することから該空間底面９７に沈殿した土砂は、傾斜した窪み底面９に沿って下流側に移動し易く、それだけ前記淀み空間９６の容積減少が生じにくい。かかることから、魚類の必要な生息空間を長期間に亘って確保できることとなる。又、このように傾斜面を形成する結果、魚巣１２内への土砂の流入も防止できる。
【００３９】
図１８〜１９は、前記窪み底面９を、前記のように下流に向かって下向きに略一定勾配で傾斜させることに加え、前記窪み立面６側に、図１４に示すと同様にして、窪み形成ブロック１９を用いて泥溜め凹部１０１を形成した場合を示すものである。
【実施例４】
【００４０】
本発明は、前記実施例に示したものに限定されるものでは決してなく、「特許請求の範囲」の記載内で種々の設計変更が可能であるのはいうまでもない。その一例を挙げれば次のようである。
【００４１】
(1) 図２０、図２１は、前記窪み立面６で開口する魚巣１２の他の態様を示すものであり、左右に角形状の魚巣１２ａ，１２ａを具える前記魚巣形成ブロック２０において、その中央部分１０７に、内径が１０ｃｍで長さが４０ｃｍ程度の筒状魚巣（例えば円筒状魚巣）１２ｂを、上下２段で且つ左右方向に３列で設けた場合を示している。なお該筒状魚巣１２ｂの長さは５０〜７０ｃｍに設定されることもある。かかる構成の魚巣１２は、前記のように、窪み底面９が下流に向かって下向きに傾斜する場合にも応用され得る。
該筒状魚巣１０９は本実施例においては、図２２〜２３に示すように、左右の魚巣部３６，３６間をなす中間部１１０に、前端開放の６個の盲孔１１１を設けると共に各盲孔１１１に、塩化ビニル製の円筒パイプ１１２を挿入して形成されている。
【００４２】
前記窪み立面６で開口するように設けられる魚巣１２は、構築する水路の幅（例えば１〜７ｍ程度）や流速等を考慮して形状や大きさ、個数、配置状態が設定されるものである。例えば、窪み立面６の全体に左右幅の大なる魚巣を設けたり、中央部分に比較的大きな魚巣を設けその両側には前記筒状魚巣１２ｂを配置したり、或いは、窪み立面６の一方の側部には比較的大きな魚巣を設け、他方の側部には筒状魚巣１２ｂを設けたり、比較的大きな魚巣を、窪み立面６の左右方向に間隔を置いて３個以上設けたりする等、各種に魚巣を構成できる。
【００４３】
又前記魚巣１２は、前記のように、魚巣形成ブロック２０に組み込まれることによって該ブロックの前面５６が前記窪み立面６を形成することの他、魚巣１２が設けられた魚巣ブロック１１３の１個乃至複数個を用い、例えば図２４に示すように該魚巣ブロック１１３を左右に配置した後、両魚巣ブロック１１３，１１３間の部分及び左右の魚巣ブロックの外側部分に、両魚巣ブロックの前面１１４，１１４と面一状態にコンクリートを現場打ちすることによって前記窪み立面６を形成することもある。図２４においては、説明の便宜上、コンクリートの現場打ち部分１１５を散点を付して示している。
【００４４】
(2) 本発明において、略垂直な窪み立面６は、垂直な面の他、垂直線に対して上流側及び下流側に夫々１０度程度までの範囲で傾斜したものも含む。
【００４５】
(3) 本発明に係る水路構造１を構築する水路は、前記実施例で示したようなプレキャストコンクリート製のブロックを接合して構築されることの他、図２５に示すような、立上がり片１１６，１１６を両側に有するコ字状支持枠１１７を所要間隔を置いて並設すると共に、水路の長さ方向で隣り合う立上がり片１１６，１１６で側板１１９の両側部分を支持させて構成した水路に対しても応用できる他、現場打ち施工によっても構築される。又本発明に係る水路構造は、既設の水路に対しても応用できる。そして、かかる水路の水路底面３に、前記のようなプレキャストコンクリート製のブロック１５を用いて窪み５が構築され、或いは、現場打ち施工によって窪み５が構築される。
【００４６】
(4) 本発明に係る水路構造１は、前記窪み立面６の高さをＨとしたとき、前記窪み底面９の水路延長方向の長さ及び前記窪み傾斜面１１の水路延長方向の長さが共にＨ〜８Ｈに設定され、且つ前記窪み立面６の高さＨが３０〜６５ｃｍに設定されるのであるが、該窪み立面６の高さＨの寸法範囲は、該窪みに生息する魚類の生活水深（通常、その場所で生息する魚類の体長の約３倍として設定される）を保ち、且つ、該窪みに生息する魚類を鳥類、特にサギ類等の外敵から保護できるように（通常、サギ類の足の長さ以上に設定される）設定される。そして、窪み底面９の水路延長方向の長さをＨよりも小さくすることは、流速の遅い淀み空間９６の容積が小さくなるために好ましくなく、逆に８Ｈよりも大きくすることは、窪み傾斜面１１を上昇する上昇水の勢いが小さくなって該窪み傾斜面１１等に沈殿した土砂を排出し難くなって好ましくない。又、窪み傾斜面１１の水路延長方向の長さをＨよりも小さくすることは、該窪み傾斜面１１が急角度になって沈殿土砂の排出が円滑に行われ難くなるために好ましくない。逆に８Ｈよりも大きくすることは、窪み傾斜面１１の長さが長くなるために、窪み傾斜面１１を上昇する上昇水の勢いが小さくなって該窪み傾斜面１１に沈殿した土砂を排出し難くなって好ましくない。
【００４７】
(5) 前記窪み立面６の下端８から下流側に向かってＨ〜２Ｈまでの範囲は、流速の遅い空間を形成できることから、前記窪み底面９に設ける泥溜め凹部１０１は、前記窪み立面６の下端８から下流側に向かってＨ〜２Ｈまでの範囲で設けるのがよい。又前記泥溜め凹部１０１は、窪み底面９の全幅に亘って設けることの他、前記のように部分的に設けてもよい。
【００４８】
(6) 図２６は、前記窪み形成ブロック１９及び前記魚巣形成ブロック２０を基礎コンクリート１１９上に載置した状態を示す断面図であり、逆止弁付き湧水部１３を設けるべき部位において、前記底板部２３及び底面部５７に装着孔５９，５９を貫設すると共に、各装着孔５９に連通させて前記基礎コンクリート１１９に貫通孔１２０を設けている。そして各装着孔５９に、前記と同様にして湧水具６０を装着することにより逆止弁付き湧水部１３を構成している。このように構成した場合は、地下水が、前記貫通孔１２０及び前記湧水具の筒状体６１を通して前記窪み５や魚巣１２に流入できる。
逆止弁付き湧水部１３は、前記窪み５や前記魚巣１２に向けての湧水の吐出を許容するがその逆の流れは阻止する弁体６６を具えるものであれば各種の公知手段を用いて構成できる。
【００４９】
(7) 前記窪み５は、図３に示すように水路２の全幅に亘って形成されることの他、水路に棲息する魚類の特性等を考慮して流速の遅い部分に部分的に設けられることもある。例えば図２７においては、湾曲する水路２の湾曲部の内側部分２Ａに窪み５を設けており、図２８においては、直線状の水路２の両側部分２Ｂ，２Ｂに窪み５を設けている。この場合、一方の側部分にのみ窪みが設けられることもある。
【図面の簡単な説明】
【００５０】
【図１】本発明に係る水路構造を説明する断面図である。
【図２】その部分拡大図である。
【図３】その部分斜視図である。
【図４】その一部欠切の部分斜視図である。
【図５】水路構造を構成するブロックを分解して示す斜視図である。
【図６】窪み形成ブロックを示す斜視図である。
【図７】魚巣形成ブロックを示す斜視図である。
【図８】逆止弁付き湧水部における地下水の吐出状態を示す断面図である。
【図９】逆止弁付き湧水部の構成を説明する分解斜視図である。
【図１０】逆止弁付き湧水部を弁体が開いた状態で示す斜視図である。
【図１１】逆止弁付き湧水部を、弁体が閉じた状態で示す断面図である。
【図１２】逆止弁付き湧水部を、弁体が開いた状態で示す断面図である。
【図１３】水路構造の窪みにおける流水の流れ状態を示す断面図である。
【図１４】泥溜め凹部を具える水路構造を示す断面図である。
【図１５】その一部欠切斜視図である。
【図１６】その水路構造を構成する窪み形成ブロックと泥溜めピットを示す斜視図である。
【図１７】窪み底面が傾斜する水路構造を示す断面図である。
【図１８】窪み底面が傾斜し且つ該窪み底面に泥溜め凹部が設けられた水路構造を示す断面図である。
【図１９】その一部欠切の部分斜視図である。
【図２０】筒状魚巣を具える水路構造を示す一部欠切斜視図である。
【図２１】筒状魚巣を具える水路構造のその他の態様を示す一部欠切斜視図である。
【図２２】筒状魚巣の構成を説明する分解斜視図である。
【図２３】筒状魚巣を示す断面図である。
【図２４】窪み立面の他の構成を説明する正面図である。
【図２５】水路の他の構成を説明する斜視図である。
【図２６】基礎コンクリート上に魚巣形成ブロックを載置した場合の逆止弁付き湧水部を示す断面図である。
【図２７】水路における窪みの他の配置状態を示す平面図である。
【図２８】水路における窪みのその他の配置状態を示す平面図である。
【符号の説明】
【００５１】
１  水路構造
２  水路
３  水路底面
５  窪み
６  窪み立面
９  窪み底面
１１  窪み傾斜面
１２  魚巣
１３  逆止弁付き湧水部
１７  水路ブロック
１９  窪み形成ブロック
２０  魚巣形成ブロック
２３  底板部
２５  側板部
６０  湧水具
６６  弁体